(57)【要約】【課題】駆動負荷の動作制御を司る回路に突入電流が流れるのを確実に防止することのできる電流制御回路、画像形成装置を提供する。【解決手段】電流制御回路１に、電源回路２と駆動負荷Ｍに電力を供給するためのコンデンサＣ１との間に３つの端子Ｔ１〜Ｔ３を有するスイッチング素子ＳＷ１を設けた。スイッチング素子ＳＷ１の第１端子Ｔ１は電源回路２に、第２端子Ｔ２は抵抗素子Ｒ１に、第３端子Ｔ３はグランドにそれぞれ接続されている。スイッチング素子ＳＷ１は、カバー１８が開放されると、第１端子Ｔ１と第２端子Ｔ２とが電気的に遮断されるとともに、第２端子Ｔ２と第３端子Ｔ３とが電気的に接続され、コンデンサＣ１に蓄積された電荷がグランドに瞬時に放電されるようにした。【選択図】図４
2008009060.tif 000002
【特許請求の範囲】
【請求項１】
電子機器に備えられた所定の部材の位置に応じて、前記電子機器内の駆動負荷に電力を供給するためのコンデンサに電源から供給される電流を制御する電流制御回路であって、
前記電源、前記コンデンサ及びグランドに接続された３つの端子を備え、前記所定の部材の位置に応じて、前記電源と前記コンデンサとを電気的に導通させる第１のスイッチング状態と、前記コンデンサとグランドとを電気的に導通させる第２のスイッチング状態とを択一的にとり得るスイッチング素子と、
前記スイッチング素子の前記各端子のうち前記コンデンサに接続された端子の電位に基づいて、前記スイッチング素子が前記第１のスイッチング状態であるか前記第２のスイッチング状態であるかを検出するオンオフ検出回路と、
前記電源から前記コンデンサに供給される電流を制限するための電流制限素子と、
前記電流制限素子の両端子を短絡するためのスイッチ回路と、
前記オンオフ検出回路から出力される検出信号に基づいて、前記スイッチ回路による短絡動作を制御する制御手段と
を備えることを特徴とする電流制御回路。
【請求項２】
前記オンオフ検出回路は、前記スイッチング素子の前記各端子のうち前記コンデンサに接続された端子の電位と該電位についての閾値との大小比較に基づいて前記スイッチング素子が前記第１のスイッチング状態であるか前記第２のスイッチング状態であるかを検出することを特徴とする請求項１に記載の電流制御回路。
【請求項３】
原稿の画像を光電変換動作により読み取り、この読取動作により得られた画像信号に基づいて用紙に画像を形成する画像形成装置であって、
当該画像形成装置の内部を外部に露出する開放位置と、当該画像形成装置の内部をカバーする閉鎖位置とをとり得るカバー部材を備え、
前記電子機器が当該画像形成装置であり、
前記カバー部材の位置が前記開放位置であるか閉鎖位置であるかに応じて、前記電源から前記コンデンサに供給される電流を制御する請求項１または２に記載の電流制御回路を有する画像形成装置。
【発明の詳細な説明】
【技術分野】
【０００１】
本発明は、駆動負荷の動作制御を司る回路への突入電流の発生を防止するための電流制御回路及び該電流制御回路を備えた画像形成装置に関するものである。
【背景技術】
【０００２】
複写機やプリンタ等の画像形成装置には、装置内部で紙詰まり（以下、ジャムという）が発生した場合に、該用紙を除去するべくカバーが開放される。該カバーが開放されたときには、使用者による用紙除去作業の安全性を確保するべく装置内部に設置されている各部の動作を停止する必要がある。このことから、従来では、前記カバーの開閉状態に応じて、電源から前記装置内部の各部（駆動負荷）への電力の供給及びその遮断を行う電流制御回路が搭載されている。図７は、従来の電流制御回路の構成を示す図である。
【０００３】
図７に示すように、電流制御回路２００は、駆動負荷Ｍに対して並列接続されたコンデンサＣ１１と、駆動負荷Ｍ及びコンデンサＣ１１に並列接続された電源回路２０１と、カバーの開閉動作に対し機械的に連動してオン／オフするスイッチング素子ＳＷ１１と、電流制限用の抵抗素子Ｒ１１と、抵抗素子Ｒ１１に並列接続され、該抵抗素子Ｒ１１の両端子間を短絡状態にするためのスイッチ回路２０２と、スイッチング素子ＳＷ１１の一方の端子における電位を検出し、その電位に応じてスイッチング素子ＳＷ１１のオン／オフを検出するオンオフ検出回路２０３と、該オンオフ検出回路２０３からスイッチング素子ＳＷ１１のオン／オフを示す検出信号を受信して、スイッチ回路２０２の動作を制御する制御部２０４とを備えて構成されている。
【０００４】
この電流制御回路２００の基本的な動作として、図８に示すように、カバーの閉鎖時には、スイッチング素子ＳＷ１１がオンし、電源回路２０１から駆動負荷Ｍ及びコンデンサＣ１１に電力が供給される一方、カバーの開放時には、スイッチング素子ＳＷ１１がオフし、電源回路２０１による電力供給が遮断される。
【０００５】
また、仮に、スイッチ回路２０２により抵抗素子Ｒ１１の両端子間が短絡されている状態で、カバーが閉鎖されスイッチング素子ＳＷ１１がオンされた場合、図９に示すように、コンデンサＣ１の抵抗値が略０であることにより電源回路２０１から供給される電流が極めて大きな突入電流（電流値Ｉ１）が駆動負荷Ｍ及びコンデンサＣ１１に向かって流れ、この突入電流により各素子の焼き付き等の破損が発生する虞があるとともに、前記突入電流によるグランドノイズの発生によって誤って回路基盤のリセットが行われる可能性がある。したがって、スイッチング素子ＳＷ１１がオンされたことを前記制御部２０４がオンオフ検出回路２０３から出力される検出信号に基づいて検出すると、スイッチング素子ＳＷ１１のオン後の一定の微小期間（図８の時刻Ｔ１３〜Ｔ１４の期間）は、前記スイッチ回路２０２をオフし、電源回路２０１から供給される電流が抵抗素子Ｒ１を流れるようにして、図１０に示すように、コンデンサＣ１に向けて流れる電流を抑制する（電流値Ｉ２＜Ｉ１）。
【０００６】
そして、前記一定の微小期間以外の期間においては、電力ロスの低減のため、制御部２０４は、スイッチ回路２０２に短絡動作を行わせ、電源回路２０１からスイッチ回路２０２を介してコンデンサＣ１１に電力を供給させる。
【０００７】
一方、この技術分野に関連する技術文献として、例えば特許文献１がある。特許文献１には、圧電ヘッド及び該圧電ヘッドを駆動する圧電ヘッド制御回路を備えたドットマトリックスプリンタにおいて、プリンタのカバーの開閉にしたがって機械的にオンオフするインターロックスイッチが圧電ヘッド制御回路と電源との間に設けられているとともに、インターロックスイッチと直列接続された抵抗素子とトライアックとの並列回路がインターロックスイッチと圧電ヘッド制御回路との間に設置され、インターロックスイッチがオフからオンへ切り替わった直後は、前記トライアックをオンオフするスイッチング回路を制御して、電源から供給される電流がトライアック及び抵抗素子のうち抵抗素子に流れる状態に保持する技術が開示されている。
【０００８】
また、特許文献１には、圧電ヘッド制御回路が瞬間的に大電流を必要とする場合に、圧電ヘッド制御回路に電源とともに電流を供給するコンデンサと、コンデンサに並列接続された放電制御回路とを備え、カバーオープンが検出されると、インターロックスイッチがオフするとともに、コンデンサの電荷を放電させることが記載されている。
【特許文献１】特開平５−１１１１４９号公報
【発明の開示】
【発明が解決しようとする課題】
【０００９】
ところで、図７に示す電流制御回路においては、次のような不具合があった。すなわち、従来では、コンデンサＣ１１と接続されたスイッチング素子ＳＷ１１の一方の端子における電位と該電位についての閾値との大小比較を行い、スイッチング素子ＳＷ１１の一方の端子における電位が前記閾値を下回ったことを検出することで、スイッチング素子ＳＷ１１がオンからオフに切り替わったことを検出するようにしている。
【００１０】
ここで、スイッチング素子ＳＷ１１の一方の端子における電位は、コンデンサＣ１１に蓄積されている電荷が放電されることにより低下するが、その放電の態様は比較的緩やかに行われるものであるため、前記電位が前記閾値を下回るまで放電されるのに要する時間だけスイッチング素子ＳＷ１１のオンからオフへの切替りを検出するタイミングが遅延することとなる。このような遅延期間（図８の時刻Ｔ１１〜Ｔ１２の期間）に再度スイッチング素子ＳＷ１１がオンされたとき（カバーの開放後直ぐに閉鎖されたとき）には、その時点では未だスイッチ回路２０２がオフに切り替えられていない（短絡動作が解除されていない）ため、コンデンサＣ１１に向けて突入電流が流れることとなる。
【００１１】
これを回避するべく、カバーの開閉を検出するセンサを別途設け、このセンサの検出信号に基づいてスイッチ回路２０２の動作を制御する構成が考えられるが、この場合、該センサを設ける分だけ、回路のコストアップを招来することとなる。
【００１２】
なお、前記特許文献１には、コンデンサＣ１１と接続されたスイッチング素子の一方の端子における電位を検出し、この電位に応じて抵抗素子Ｒ１１の両端子間を導通するか否かを判断する構成において、前述のような問題に対する解決方法については提案されていない。
【００１３】
本発明は、上述した問題点を解決するためになされたものであり、駆動負荷の動作制御を司る回路に突入電流が流れるのを確実に防止することのできる電流制御回路、画像形成装置を提供することを目的とする。
【課題を解決するための手段】
【００１４】
請求項１に記載の発明は、電子機器に備えられた所定の部材の位置に応じて、前記電子機器内の駆動負荷に電力を供給するためのコンデンサに電源から供給される電流を制御する電流制御回路であって、前記電源、前記コンデンサ及びグランドに接続された３つの端子を備え、前記所定の部材の位置に応じて、前記電源と前記コンデンサとを電気的に導通させる第１のスイッチング状態と、前記コンデンサとグランドとを電気的に導通させる第２のスイッチング状態とを択一的にとり得るスイッチング素子と、前記スイッチング素子の前記各端子のうち前記コンデンサに接続された端子の電位に基づいて、前記スイッチング素子が前記第１のスイッチング状態であるか前記第２のスイッチング状態であるかを検出するオンオフ検出回路と、前記電源から前記コンデンサに供給される電流を制限するための電流制限素子と、前記電流制限素子の両端子を短絡するためのスイッチ回路と、前記オンオフ検出回路から出力される検出信号に基づいて、前記スイッチ回路による短絡動作を制御する制御手段とを備えることを特徴とするものである。
【００１５】
この発明によれば、前記所定の部材が或る位置に設定されると、前記スイッチング素子が前記所定の部材に連動して前記第２のスイッチング状態となり、コンデンサに蓄積された電荷がグランドに放電される。これにより、前記スイッチング素子のコンデンサに接続された端子における電位が瞬時に大きく変化することとなり、前記スイッチング素子が前記第２のスイッチング状態であることがオンオフ検出回路により速やかに検出される。
【００１６】
請求項２に記載の発明は、請求項１に記載の電流制御回路において、前記オンオフ検出回路は、前記スイッチング素子の前記各端子のうち前記コンデンサに接続された端子の電位と該電位についての閾値との大小比較に基づいて前記スイッチング素子が前記第１のスイッチング状態であるか前記第２のスイッチング状態であるかを検出することを特徴とするものである。
【００１７】
この発明によれば、前記スイッチング素子が前記所定の部材に連動して前記第２のスイッチング状態となると、コンデンサに蓄積された電荷がグランドに放電され、これにより、前記スイッチング素子のコンデンサに接続された端子における電位が瞬時に前記閾値を下回り、前記スイッチング素子が前記第２のスイッチング状態であることがオンオフ検出回路により速やかに検出される。
【００１８】
請求項３に記載の発明は、原稿の画像を光電変換動作により読み取り、この読取動作により得られた画像信号に基づいて用紙に画像を形成する画像形成装置であって、当該画像形成装置の内部を外部に露出する開放位置と、当該画像形成装置の内部をカバーする閉鎖位置とをとり得るカバー部材を備え、前記電子機器が当該画像形成装置であり、前記カバー部材の位置が前記開放位置であるか閉鎖位置であるかに応じて、前記電源から前記コンデンサに供給される電流を制御する請求項１または２に記載の電流制御回路を有するものである。
【００１９】
この発明によれば、カバー部材の開閉状態に応じて電源からコンデンサへの電流の供給及び遮断を行う画像形成装置において、カバーの開放後直ぐに閉鎖された場合であっても、電源から供給される電流が電流制限素子を通ってコンデンサに流れるようにすることができる。
【発明の効果】
【００２０】
本発明によれば、駆動負荷に電力を供給するためのコンデンサへの突入電流の発生を確実に防止することができる。
【発明を実施するための最良の形態】
【００２１】
以下、本発明に係る画像形成装置の実施形態を図面を用いて説明する。図１は、本発明に係る画像形成装置の一実施形態である複写機の内部構成を概略的に示す側面図である。
【００２２】
図１に示すように、複写機１０は、箱形の装置本体（筐体）１１の下部に配設された給紙部１２と、この給紙部１２の上方に配設された画像形成部１３と、該画像形成部１３の図１における左方に配設された定着部１４と、画像形成部１３及び定着部１４の上方に配設された光学系部材を有する画像読取部１５と、給紙部１２から画像形成部１３及び定着部１４を経て用紙排出に至る用紙搬送部１６とを備える。
【００２３】
画像読取部１５は、コンタクトガラス１５１上に載置された原稿に、図略の露光ランプからの光を照射し、その反射光を、反射鏡を介して光電変換部に導くことによって、原稿の画像情報を読み取るものであり、この画像情報が後述の露光ユニット１３３に伝えられる。
【００２４】
給紙部１２は、給紙カセット１２１に積層載置された用紙Ｐの束を１枚ずつ用紙搬送部１６に給紙する。用紙搬送部１６は、給紙部１２から給紙された用紙Ｐを、搬送ローラ対１６１及びレジストローラ対１６２によって画像形成部１３に向けて搬送し、さらに画像形成部１３及び定着部１４を介した後、排出ローラ対１６３の駆動により装置本体１１の外壁に設けられた排出トレイ１６４上へ向けて排出するようになっている。
【００２５】
画像形成部１３は、電子写真プロセスによって用紙Ｐに所定のトナー像を転写するものであり、軸心回りに回転可能な感光体ドラム１３１と、この感光体ドラム１３１の周囲にその回転方向に沿って配設された、帯電ユニット１３２、露光ユニット１３３、現像ユニット１３４、転写ユニット１３５、クリーナー１３６及び除電ユニット１３７とを備えている。
【００２６】
帯電ユニット１３２は、コロナ放電によって感光体ドラム１３１の表面に所定電位を与えるものである。露光ユニット１３３は、前記画像読取部１５によって読み取られた原稿の画像データに基づいてレーザー光を感光体ドラム１３１に照射することにより、感光体ドラム１３１表面の電位を選択的に減衰させて、この感光体ドラム１３１の表面に静電潜像を形成するものである。
【００２７】
現像ユニット１３４は、前記静電潜像をトナーにより現像して、感光体ドラム１３１の表面にトナー像を形成するものである。転写ユニット１３５は、感光体ドラム１３１の表面のトナー像を用紙Ｐに転写するものである。クリーナー１３６は、転写後の感光体ドラム１３１の表面に残留しているトナーを除去するものであり、除電ユニット１３７は、感光体ドラム１３１の表面の残留電荷を除去するものである。
【００２８】
定着部１４は、画像形成部１３で用紙Ｐに転写されたトナーを用紙Ｐへ定着させる処理を施すものであり、前記画像形成部１３の用紙搬送方向の下流側に配置された定着ユニット２０と、この定着ユニット２０の下流側に配設されて定着ユニット２０から排出された用紙Ｐを排出ローラ対１６３へ向けて案内する案内部材３０とを備えて構成されている。定着ユニット２０は、箱形を呈した定着装置本体２１と、この定着装置本体２１に軸心回りに回転可能に軸支されたヒートローラ２２と、周面がこのヒートローラ２２の周面に押圧当接された加圧ローラ２３とを備えている。
【００２９】
画像形成部１３から搬送された用紙Ｐは、ヒートローラ２２と加圧ローラ２３との間のニップ部において両者に押圧挟持されながらこれらの回転によって搬送されつつヒートローラ２２からの熱を得てトナー像の用紙Ｐへの定着処理が施され、案内部材３０及び排出ローラ対１６３を介して排出トレイ１６４へ向けて排出される。
【００３０】
図２，図３は、図１に示す複写機１０の外観を示す斜視図であり、図２は、カバー１８が閉鎖された状態、図３は、カバー１８が開放された状態をそれぞれ示している。
【００３１】
図２に示すように、複写機１０は、縦長の直方体状を呈した装置本体１１の下部に複数の給紙カセット１２１を備えた前記給紙部１２が設けられ、各給紙カセット１２１は、前方に向けて引き出し可能になっている。かかる給紙部１２の直上位置に、前記定着部１４と前記用紙搬送部１６とが内装されているとともに、これらの上方位置に前記画像形成部１３とが形成されている。また、装置本体１１の天板の前方位置には、テンキーや液晶を有する表示板、さらには各種の操作キー等を備えた操作パネル１１１が設けられているとともに、天板の後方位置には、コンタクトガラス１５１（図１）を覆うように開閉可能な原稿自動供給装置１５２が設けられている。
【００３２】
かかる装置本体１１における前面の給紙部１２より上方位置には、横開きで開閉可能なカバー１８が設けられている。このカバー１８は、図２に示すように普段は閉鎖されており、紙詰りの解消作業時や各種のメンテナンス作業時に、図３に示すように、右方に向けて開放される。
【００３３】
本実施形態では、複写機１０の使用者等が紙詰りの解消作業や各種のメンテナンス作業を行う場合の安全性を確保するために、カバー１８が開放されると、以下に説明する電流制御回路１により、複写機１０内部の各部（画像形成部１３や定着部１４等）への電力供給を遮断して該各部の作動を停止するようにしている。カバー１８は、前記所定の部材の一例であり、前記カバー部材に相当するものである。
【００３４】
図４は、前記電流制限回路の回路構成を示す図である。図４に示すように、電流制御回路１は、複写機１０の各部の電力供給対象である駆動負荷Ｍに電力を供給するためのコンデンサＣ１と、駆動負荷Ｍ及びコンデンサＣ１に電流を供給するための電源回路２と、該電源回路２と前記コンデンサＣ１との間に設けられたスイッチング素子ＳＷ１と、該スイッチング素子ＳＷ１の一端子（後述の第２端子Ｔ２）とコンデンサＣ１の一方の電極とに接続された電流制限用の抵抗素子Ｒ１（前記電流制限素子の一例）と、前記抵抗素子Ｒ１に並列接続されたスイッチ回路３と、スイッチング素子ＳＷ１のオン／オフを検出するオンオフ検出回路４と、該オンオフ検出回路４からスイッチング素子ＳＷ１のオン／オフを示す検出信号を受信して、スイッチ回路３の動作を制御する制御部５とを備えて構成されている。
【００３５】
コンデンサＣ１は、駆動負荷Ｍの動作制御を司る回路を構成する一素子であり、駆動負荷Ｍに比較的大きな電流が必要となった場合に、電源回路２とともに電流を供給する。コンデンサＣ１の一方の電極は、抵抗素子Ｒ１を介してスイッチング素子ＳＷ１の一端子（後述の第２端子Ｔ２）に接続されており、他方の電極は、グランドに接続されている。
【００３６】
スイッチング素子ＳＷ１は、３つの端子Ｔ１〜Ｔ３（以下、これらの端子を第１〜第３端子Ｔ１〜Ｔ３という）を有し、第１端子Ｔ１は電源回路２に、第２端子Ｔ２は抵抗素子Ｒ１に、第３端子Ｔ３はグランドにそれぞれ接続されている。スイッチング素子ＳＷ１は、カバー１８の閉鎖時には、第１端子Ｔ１と第２端子Ｔ２とが電気的に接続されるとともに、第２端子Ｔ２と第３端子Ｔ３とが電気的に遮断される（前記第１のスイッチング状態に相当）一方、カバー１８の開放時には、第１端子Ｔ１と第２端子Ｔ２とが電気的に遮断されるとともに、第２端子Ｔ２と第３端子Ｔ３とが電気的に接続される（前記第２のスイッチング状態に相当）ように、カバー１８の開閉動作に連動してスイッチング状態が機械的に切り替えられる構成を有する。
【００３７】
スイッチ回路３は、抵抗素子Ｒ１の両端子間を短絡状態にするための回路であり、制御部５の指示に応じて、抵抗素子Ｒ１の両端子間を短絡状態とするオン動作及び前記短絡状態を解除するオフ動作を行う。
【００３８】
オンオフ検出回路４は、スイッチング素子ＳＷ１の第２端子Ｔ２における電位に基づいて、スイッチング素子ＳＷ１のオンオフ動作を検出するための回路である。図５は、オンオフ検出回路４の回路構成を示す回路図である。図５に示すように、オンオフ検出回路４は、例えばトランジスタ等のスイッチング素子Ｔｒ１と抵抗素子Ｒ２〜Ｒ５とを備えて構成されている。スイッチング素子ＳＷ１の前記第２端子Ｔ２とグランドとの間には、抵抗素子Ｒ２と抵抗素子Ｒ３との直列回路が接続されており、抵抗素子Ｒ２と抵抗素子Ｒ３との接続点Ａとスイッチング素子Ｔｒ１のベース端子との間に抵抗素子Ｒ４が接続されている。スイッチング素子Ｔｒ１のコレクタ端子は、制御部５と抵抗素子Ｒ５を介して電源Ｖｃｃとに接続されている一方、エミッタ端子はグランドに接続されている。
【００３９】
このような回路構成を有するオンオフ検出回路４においては、スイッチング素子ＳＷ１の第２端子Ｔ２の電位、すなわちコンデンサＣ１の両端の電圧が、前記スイッチング素子Ｔｒ１及び抵抗素子Ｒ２〜Ｒ５の素子特性に基づく閾値以上のときには、スイッチング素子Ｔｒ１がオンとなり、Ｌ（ロー）信号を制御部５に出力する一方、コンデンサＣ１の両端の電圧が前記閾値未満のときには、スイッチング素子Ｔｒ１がオフとなり、Ｈ（ハイ）信号を制御部５に出力する。
【００４０】
制御部５は、各制御プログラム等を記憶するＲＯＭ（Read Only Memory）、演算処理や制御処理などのデータを一時的に格納するＲＡＭ（Random Access Memory）、及び上記制御プログラム等をＲＯＭから読み出して実行するＣＰＵ（中央演算処理装置）等からなり、オンオフ検出回路４の出力信号に基づいてスイッチ回路３の動作を制御するものである。
【００４１】
すなわち、制御部５は、スイッチング素子ＳＷ１の第２端子Ｔ２の電位が前記閾値未満であることを示すＨ（ハイ）信号をオンオフ検出回路４から受信しているときには、スイッチ回路３にオフ動作を実行させる一方、前記第２端子Ｔ２の電位が前記閾値以上であることを示すＬ（ロー）信号をオンオフ検出回路４から受信しているときには、スイッチ回路３にオン動作を実行させる。
【００４２】
以上のような構成を有する電流制御回路１の動作について説明する。図６は、電流制御回路１の動作を示すタイムチャートである。
【００４３】
図６に示すように、今、カバー１８が閉鎖されており、スイッチング素子ＳＷ１の第１端子Ｔ１と第２端子Ｔ２とが電気的に接続される一方、第２端子Ｔ２と第３端子Ｔ３とが電気的に遮断されており、電源回路２からコンデンサＣ１への電力供給動作（コンデンサＣ１の充電動作）が行われているものとする。このとき、制御部５は、スイッチ回路３にオン動作（抵抗素子Ｒ１の両端子の短絡動作）を行わせている。
【００４４】
そして、時刻Ｔ＝ｔ１で、カバー１８が開放されると、それに伴って、スイッチング素子ＳＷ１の第１端子Ｔ１と第２端子Ｔ２とは電気的に遮断される一方、第２端子Ｔ２と第３端子Ｔ３とは電気的に接続される。これにより、電源回路２からコンデンサＣ１への電力供給動作（コンデンサＣ１の充電動作）が停止され、コンデンサＣ１からグランドへの放電動作が行われる。ここで、コンデンサＣ１に蓄積された電荷は瞬時にグランドに放電され、コンデンサＣ１の電圧、延いてはスイッチング素子ＳＷ１における第２端子Ｔ２の電位が瞬時に前記閾値を下回るから、オンオフ検出回路４は、時刻Ｔ＝ｔ１から微少時間経過後の時刻Ｔ＝ｔ２で、制御部５にＨ（ハイ）信号を出力する。制御部５は、このＨ（ハイ）信号に基づいてスイッチ回路３にオフ動作（抵抗素子Ｒ１の両端子の非短絡動作）を行わせる。
【００４５】
そして、時刻Ｔ＝ｔ３で、カバー１８が再び閉鎖されると、それに伴って、スイッチング素子ＳＷ１の第１端子Ｔ１と第２端子Ｔ２とが電気的に接続される一方、第２端子Ｔ２と第３端子Ｔ３とが電気的に遮断される。これにより、電源回路２からコンデンサＣ１への電力供給動作（コンデンサＣ１の充電動作）が行われる。
【００４６】
そして、時刻Ｔ＝ｔ３からコンデンサＣ１の時定数等により決定する時間Δｔ経過後の時刻Ｔ＝ｔ４に、コンデンサＣ１の両端の電圧が前記閾値まで上昇すると、オンオフ検出回路４は、時刻Ｔ＝ｔ４にＬ（ロー）信号を制御部５に出力し、制御部５は、このＬ（ロー）信号に基づいてスイッチ回路３にオン動作を行わせる。
【００４７】
以上のように、本実施形態では、カバー１８が開放されると、コンデンサＣ１に蓄積された電荷をグランドに放電させるようにしたので、瞬時にスイッチ回路３の動作をオン動作からオフ動作へ切り替える、すなわち抵抗素子Ｒ１の両端子を短絡状態から非短絡状態に切り替えることができる。これにより、前記カバー１８の開放後直ぐに閉鎖された場合であっても、その時点では抵抗素子Ｒ１の両端子が非短絡状態とされているため、電源回路２からコンデンサＣ１に向けて供給される電流は抵抗素子Ｒ１を流れることとなる。その結果、従来の構成において前記カバー１８の開放後直ぐに閉鎖された場合に生じるコンデンサＣ１への突入電流の発生を防止することができる。
【００４８】
なお、本件は、前記複写機だけでなく、複合機やファクシミリ装置等の装置にも適用可能である。また、前記実施形態では、給紙部１２や画像形成部１３等が装置本体１１に内蔵されているタイプのものについて示したが、これに限らず、給紙部１２や画像形成部１３等が装置本体１１側から制御可能な状態で別体化されているものについても、本件が適用可能である。また、前記制御部５の機能を前記第１の実施形態のようにプログラムで実現する形態に代えてハード（回路）で実現するようにしてもよい。
【図面の簡単な説明】
【００４９】
【図１】本発明に係る画像形成装置の一実施形態である複写機の内部構成を概略的に示す側面図である。
【図２】カバーが閉鎖された状態における複写機の外観を示す斜視図である。
【図３】カバーが開放された状態における複写機の外観を示す斜視図である。
【図４】電流制限回路の回路構成を示す図である。
【図５】オンオフ検出回路の回路構成を示す回路図である。
【図６】電流制御回路の動作を示すタイムチャートである。
【図７】従来の電流制御回路の構成を示す図である。
【図８】従来の電流制御回路の動作を示すタイムチャートである。
【図９】突入電流の説明図である。
【図１０】従来の電流制御回路による作用を説明する図である。
【符号の説明】
【００５０】
１，２００    電流制御回路
２，２０１    電源回路
３，２０２    スイッチ回路
４，２０３    オンオフ検出回路
５，２０４    制御部
１０    複写機
１８    カバー
【図１】
2008009060.tif 000003
【図２】
2008009060.tif 000004
【図３】
2008009060.tif 000005
【図４】
2008009060.tif 000006
【図５】
2008009060.tif 000007
【図６】
2008009060.tif 000008
【図７】
2008009060.tif 000009
【図８】
2008009060.tif 000010
【図９】
2008009060.tif 000011
【図１０】
2008009060.tif 000012